(57)【要約】【課題】ノイズの発生を抑制できるディスプレイモジュールを提供する。【解決手段】一つの実施の形態に係るディスプレイモジュールは、表示部と、制御部と、グラウンド部とを備える。前記表示部は、回路を有するとともに画像を表示する。前記制御部は、前記表示部に接続されて前記表示部を制御するとともに、導電部を有する。前記グラウンド部は、前記表示部の前記回路と前記制御部の前記導電部とに接続され、前記表示部の回路と前記制御部とを接地させる。【選択図】    図３
2013238831.tif 000002
【特許請求の範囲】
【請求項１】
回路を有するとともに画像を表示する表示部と、
前記表示部に接続されて前記表示部を制御するとともに、導電部を有した制御部と、
前記表示部の前記回路と前記制御部の前記導電部とに接続され、前記表示部の回路と前記制御部とを接地させるグラウンド部と、
を具備したディスプレイモジュール。
【請求項２】
前記表示部と前記グラウンド部とがともに自在に曲げられる請求項１に記載のディスプレイモジュール。
【請求項３】
前記表示部は、画像を表示する第１の面と、前記第１の面の反対側に位置する第２の面とを有し、
前記グラウンド部は、前記表示部の前記第２の面に重ねられるとともに、前記制御部の少なくとも一部を覆う請求項２に記載のディスプレイモジュール。
【請求項４】
前記制御部は、電子部品が実装されるとともに前記導電部を有した制御基板と、前記グラウンド部に接続される他の導電部を有するとともに前記制御基板を前記表示部に接続する接続部と、を有した請求項３に記載のディスプレイモジュール。
【請求項５】
前記制御部は、電子部品が実装されるとともに前記導電部を有した制御基板と、前記制御基板を前記表示部に接続する接続部とを有した請求項３に記載のディスプレイモジュール。
【請求項６】
前記制御部は、電子部品が実装された制御基板と、前記導電部を有するとともに前記制御基板を前記表示部に接続する接続部とを有した請求項３に記載のディスプレイモジュール。
【請求項７】
前記制御基板は、前記電子部品が実装されるとともに前記グラウンド部に少なくとも一部が覆われた被覆面を有し、
前記グラウンド部に、前記電子部品を避けるとともに前記制御基板の前記被覆面を露出させる開放部が設けられた請求項４または５に記載のディスプレイモジュール。
【請求項８】
前記制御部は熱圧着接続によって前記表示部に接続され、前記グラウンド部が熱圧着接続によって前記制御部の前記導電部に接続された請求項７に記載のディスプレイモジュール。
【請求項９】
前記表示部が有機ＥＬによって画像を表示する請求項８に記載のディスプレイモジュール。
【請求項１０】
筐体と、
回路を有するとともに画像を表示する表示部と、
前記筐体に収容され、前記表示部に接続されて前記表示部を制御するとともに、導電部を有した制御部と、
前記表示部の前記回路と前記制御部の前記導電部とに接続され、前記表示部の回路と前記制御部とを接地させるグラウンド部と、
を具備した電子機器。
【発明の詳細な説明】
【技術分野】
【０００１】
本発明の実施形態は、ディスプレイモジュールおよび電子機器に関する。
【背景技術】
【０００２】
液晶ディスプレイ（ＬＣＤ）や有機ＥＬディスプレイのようなディスプレイモジュールは、ノイズの発生を抑制するために接地される。例えば、ディスプレイモジュールは金属のベゼルによって接地する。
【先行技術文献】
【特許文献】
【０００３】
【特許文献１】特開２００４−１１９４４５号公報
【発明の概要】
【発明が解決しようとする課題】
【０００４】
ベゼルはディスプレイモジュールの剛性を向上させる。このため、柔軟性を有するディスプレイモジュールは、ベゼルを用いないことがある。このように、ディスプレイモジュールの部品の接地には、改良の余地がある。
【０００５】
本発明の目的は、ノイズの発生を抑制できるディスプレイモジュールおよび電子機器を提供することにある。
【課題を解決するための手段】
【０００６】
一つの実施の形態に係るディスプレイモジュールは、表示部と、制御部と、グラウンド部とを備える。前記表示部は、回路を有するとともに画像を表示する。前記制御部は、前記表示部に接続されて前記表示部を制御するとともに、導電部を有する。前記グラウンド部は、前記表示部の前記回路と前記制御部の前記導電部とに接続され、前記表示部の回路と前記制御部とを接地させる。
【図面の簡単な説明】
【０００７】
【図１】第１の実施の形態に係るテレビを分解して示す斜視図。
【図２】第１の実施形態のディスプレイモジュールの一部を示す平面図。
【図３】第１の実施形態のディスプレイモジュールを図２のＦ３−Ｆ３線に沿って示す断面図。
【図４】第２の実施の形態に係るディスプレイモジュールの一部を示す断面図。
【図５】第３の実施の形態に係るディスプレイモジュールの一部を示す断面図。
【発明を実施するための形態】
【０００８】
以下に、第１の実施の形態について、図１から図３を参照して説明する。なお、本明細書において、手前側（即ちユーザ側）を前方、ユーザから見て遠い側を後方、ユーザから見て左側を左方、ユーザから見て右側を右方、ユーザから見て上方を上方、ユーザから見て下方を下方と定義する。さらに、複数の表現が可能な各要素について一つ以上の他の表現の例を付すことがあるが、これは他の表現が付されていない要素について異なる表現がされることを否定するものではないし、例示されていない他の表現がされることを制限するものでもない。
【０００９】
図１は、第１の実施の形態に係るテレビジョン受像装置（以下、テレビと称する）１０を分解して示す斜視図である。テレビ１０は電子機器の一例である。なお、電子機器はこれに限らず、例えばポータブルコンピュータ、タブレット、携帯情報端末（ＰＤＡ）、携帯電話、デジタルフォトスタンド、およびカメラのような、種々の機器であっても良い。
【００１０】
本実施形態におけるテレビ１０は、例えば携帯可能な小型のテレビである。テレビ１０は、ディスプレイモジュール１１と、筐体１２とを備えている。ディスプレイモジュール１１は、例えば、表示部、部品、表示装置のように、種々に表現がされ得る。筐体１２は、例えば、ケーシング、外殻、壁部のように、種々の表現がされ得る。
【００１１】
本実施形態におけるディスプレイモジュール１１は、例えば自在に曲げられ得る柔軟なプラスチック有機ＥＬディスプレイ（ＰＯＥＬ）である。例えば、ディスプレイモジュール１１は、筒状に巻かれ得る。なお、ディスプレイモジュール１１はこれに限らず、剛性を有する有機ＥＬディスプレイや、液晶ディスプレイ、電子ペーパーのような、種々のモジュールであっても良い。
【００１２】
図２は、ディスプレイモジュール１１の一部を示す平面図である。図３は、図２のＦ３−Ｆ３線に沿ってディスプレイモジュール１１の一部を示す断面図である。図３に示すように、ディスプレイモジュール１１は、表示部１５と、制御部１６と、グラウンド部１７とを有している。
【００１３】
表示部１５は、電極層２１と、発光層２２とを有している。電極層２１は、例えば、カバー、回路部、電極部、表示部のように、種々の表現がされ得る。発光層２２は、例えば、発光部、回路部、画像形成部のように、種々の表現がされ得る。
【００１４】
電極層２１は、樹脂によって形成された透光性のフィルム２５と、透光性の第１の電極２６とを有している。フィルム２５は、矩形状に形成されている。第１の電極２６は、例えば、フィルム２５の一方の面に蒸着によって形成された配線パターンである。第１の電極２６は、有機ＥＬの陰極として機能する。フィルム２５と第１の電極２６は、ともに柔軟性を有している。このため、電極層２１は自在に曲げられ得る。
【００１５】
発光層２２は、複数の画素を有している。当該複数の画素は、有機化合物と配線パターンとによって形成される。当該有機化合物は、電極層２１の第１の電極２６に対応する。当該有機化合物は、第１の電極２６と、発光層２２の前記配線パターンに形成された陽極とに挟まれる。
【００１６】
電極層２１は、発光層２２に積層されている。電極層２１の第１の電極２６は、発光層２２に接している。
【００１７】
発光層２２は、柔軟性を有している。このため、発光層２２は自在に曲げられ得る。すなわち、積層された電極層２１と発光層２２とによって形成される表示部１５は、柔軟性を有し、自在に曲げられ得る。なお、表示部１５は電極層２１および発光層２２以外の部品を有しても良い。
【００１８】
表示部１５において、電極層２１の第１の電極２６と、発光層２２の前記配線パターンの前記陽極との間で電流を流すことにより、発光層２２の前記有機化合物が発光する。言い換えると、発光層２２の有機化合物にルミネッセンスが生じる。これにより、表示部１５は画像を表示する。以上説明したように、表示部１５は、有機ＥＬによって画像を表示する。
【００１９】
制御部１６は、制御基板３１と、接続部３２とを有している。制御基板３１は、例えば、基板、制御部、実装部のように、種々の表現がされ得る。接続部３２は、例えば、ケーブル、中間部、介在部のように、種々の表現がされ得る。
【００２０】
制御基板３１は、例えばリジッドプリント配線板である。なお、制御基板３１はこれに限らず、例えばフレキシブルプリント配線板のような他の基板であっても良い。図２に示すように、制御基板３１は、矩形状に形成されている。
【００２１】
図３に示すように、制御基板３１は、第１の実装面３４と、第２の実装面３５とを有している。第２の実装面３５は、第１の実装面３４の反対側に位置している。第１の実装面３４は、被覆面の一例である。
【００２２】
第１の実装面３４に、例えばＢＧＡのような電子部品３７が実装されている。電子部品３７は、例えば表示部１５に表示される画像のデータを処理する。なお、例えばコンデンサのような他の部品が第１の実装面３４に実装されても良い。
【００２３】
第１の実装面３４に、複数の第３の電極４１と、複数の第４の電極４２とが設けられている。第４の電極４２は、導電部の一例である。第３の電極４１は、第１の実装面３４の端部に並んで配置されている。図２に示すように、第４の電極４２は、制御基板３１の長手方向に並んで配置されている。
【００２４】
第２の実装面３５に、例えばコンデンサのような複数の他の電子部品４４が実装されている。なお、他の電子部品４４はこれに限らず、例えばＩＣのような種々の部品であっても良い。
【００２５】
さらに、制御基板３１には、アンテナ、チューナ、スピーカ、スイッチ、およびバッテリのような、種々の部品が実装または接続されている。制御基板３１に、これらの種々の部品が実装された他の基板が接続されても良い。
【００２６】
接続部３２は、例えばフレキシブルプリント配線板である。なお、接続部３２はこれに限らず、ケーブルのような種々の部品であっても良い。接続部３２は、柔軟性を有し、自在に曲げられ得る。
【００２７】
図３に示すように、接続部３２の一方の面３２ａに、配線パターン４６が形成されている。配線パターン４６は、接続部３２の一方の端部から他方の端部に亘って形成されている。配線パターン４６の一方の端部は、表示部１５の電極層２１に熱圧着接続されている。配線パターン４６の他方の端部は、制御基板３１の第３の電極４１に熱圧着接続されている。さらに、接続部３２の他方の面３２ｂに第５の電極４７が設けられている。第５の電極４７は、他の導電部の一例である。
【００２８】
制御基板３１の第３の電極４１は、接続部３２の配線パターン４６を介して、電極層２１の第１の電極２６に電気的に接続されている。言い換えると、接続部３２は、制御基板３１を表示部１５に接続している。なお、接続部３２は、第１の電極２６に限らず、表示部１５の他の部分に接続されても良い。
【００２９】
制御部１６は、例えば前記アンテナおよびチューナを経て取得した映像データを処理し、表示部１５に電気信号を送る。当該電気信号が送られた表示部１５は、制御部１６が処理した前記映像データに基づく画像を表示する。すなわち、制御部１６は、表示部１５を制御して、表示部１５に画像を表示させる。
【００３０】
グラウンド部１７は、ベースフィルム５１と、グラウンドパターン５２とを有している。ベースフィルム５１は、例えば、フィルム、基部、カバー部のように、種々の表現がされ得る。グラウンドパターン５２は、例えば、グラウンド層、導電膜、接地部のように、種々の表現がされ得る。
【００３１】
ベースフィルム５１は、樹脂によって矩形状に形成されている。ベースフィルム５１は、互いに接続された表示部１５および制御部１６よりも大きい。言い換えると、ベースフィルム５１は、互いに接続された表示部１５および制御部１６を覆い隠し得る。なお、ベースフィルム５１は、表示部１５および制御部１６と同じ大きさか、それより小さくとも良い。
【００３２】
グラウンドパターン５２は、ベースフィルム５１の一方の面に蒸着によって形成された導電性のパターンである。ベースフィルム５１およびグラウンドパターン５２は、ともに柔軟性を有している。このため、グラウンド部１７は自在に曲げられ得る。
【００３３】
グラウンド部１７は、第１の面１５ａおよび第２の面１５ｂを有する表示部１５に積層されている。表示部１５の第２の面１５ｂは、第１の面１５ａの反対側に位置する。表示部１５の第１の面１５ａには、上述のように画像が表示される。グラウンド部１７は、表示部１５の第２の面１５ｂに重ねられる。
【００３４】
上記のように、表示部１５と、グラウンド部１７とは、ともに柔軟性を有し、自在に曲げられ得る。このため、互いに重ねられた表示部１５およびグラウンド部１７は、柔軟性を有し、自在に曲げられ得る。
【００３５】
なお、本実施形態では、理解を容易にするために、表示部１５とグラウンド部１７とを別の部品として説明している。しかし、表示部１５とグラウンド部１７とは、一つの部品として形成されても良い。表示部１５とグラウンド部１７とが一つの部品である場合、発光層２２の前記配線パターンは、種々の方法によってグラウンドパターン５２に接続される。
【００３６】
グラウンド部１７は、制御基板３１の第１の実装面３４を覆っている。なお、第１の実装面３４の一部のみがグラウンド部１７に覆われても良い。制御基板３１に設けられた第４の電極４２は、グラウンド部１７のグラウンドパターン５２に熱圧着接続される。これにより、制御基板３１は、グラウンドパターン５２によって接地される。
【００３７】
グラウンド部１７に、開放部５５が設けられている。開放部５５は、ベースフィルム５１およびグラウンドパターン５２を貫通する孔である。なお、開放部５５はこれに限らず、例えば切欠きであっても良い。
【００３８】
開放部５５は、電子部品３７を避けるように形成されている。言い換えると、開放部５５は、制御基板３１の第１の実装面３４の、電子部品３７が配置される領域を囲む。開放部５５によって、第１の実装面３４の当該領域が露出される。
【００３９】
さらに、グラウンド部１７は、接続部３２の他方の面３２ｂを覆っている。接続部３２に設けられた第５の電極４７は、グラウンド部１７のグラウンドパターン５２に熱圧着接続される。これにより、接続部３２は、グラウンドパターン５２によって接地される。
【００４０】
図１に示すように、以上説明したディスプレイモジュール１１の一部が、筐体１２に収容されている。すなわち、表示部１５の一部と、制御部１６と、グラウンド部１７の一部とが、筐体１２に収容される。
【００４１】
筐体１２の外部に位置するディスプレイモジュール１１の一部は、柔軟性を有し、自在に曲げられ得る。このため、例えば、筐体１２の外部に位置するディスプレイモジュール１１の一部は、筐体１２に巻き付けられ得る。
【００４２】
筐体１２は、フロントカバー６１と、リアカバー６２とを有している。フロントカバー６１に、複数のボタン６３と、音声出力開口６４とが設けられている。ボタン６３は、制御基板３１に実装または接続されたスイッチを操作する。音声出力開口６４を通して、制御基板３１に実装または接続されたスピーカが音を発する。
【００４３】
前記構成のテレビ１０によれば、グラウンド部１７のグラウンドパターン５２が、制御基板３１の第４の電極４２と、接続部３２の第５の電極４７とに接続される。このため、グラウンドパターン５２によって、表示部１５の前記配線パターンと、制御部１６とが接地させられる。
【００４４】
これにより、制御部１６から表示部１５に電気信号が送られたときに、電流がグラウンド部１７を通って戻る。このように、駆動のための電流が戻る経路が単純化されるため、ノイズの発生が抑制される。
【００４５】
さらに、表示部１５と制御部１６とが共通のグラウンドパターン５２によって接地されているため、表示部１５の基準電位と、制御部１６の基準電位とが等しくなる。言い換えると、表示部１５のグラウンドと、制御部１６のグラウンドとの電位差がゼロになる。これにより、電圧が安定し、ノイズの発生が抑制される。
【００４６】
互いに接続された表示部１５とグラウンド部１７とが、ともに自在に曲げられる。これにより、ディスプレイモジュール１１は、例えば巻かれたり、折り曲げられたりするような自由な変形をすることができる。例えば、ディスプレイモジュール１１が筐体１２に巻き付けられることにより、テレビ１０の携帯性が向上する。
【００４７】
グラウンド部１７は、表示部１５の第２の面１５ｂに重ねられるとともに、制御部１６の制御基板３１および接続部３２を覆う。すなわち、グラウンド部は、表示部１５の接地のための層を延長することで形成でき、ディスプレイモジュール１１の製造コストの増大を抑制できる。さらに、グラウンド部１７に覆われることで、制御部１６が保護される。
【００４８】
グラウンド部１７のグラウンドパターン５２は、表示部１５の前記配線パターンと、制御基板３１と、接続部３２とをともに接地させる。このため、制御基板３１から接続部３２および表示部１５に流れた電流が戻る経路が単純化される。さらに、表示部１５の基準電位と制御基板３１および接続部３２の基準電位とが等しくなる。これにより、ディスプレイモジュール１１からノイズが発生することを抑制できる。
【００４９】
グラウンド部１７に、電子部品３７を避ける開放部５５が設けられる。これにより、グラウンド部１７に覆われる制御基板３１の第１の実装面３４に部品を実装することができる。これにより、ディスプレイモジュール１１の設計自由度が向上する。
【００５０】
接続部３２の配線パターン４６は、熱圧着接続によって表示部１５に接続される。さらに、制御基板３１の第４の電極４２と、接続部３２の第５の電極４７とは、ともに熱圧着接続によってグラウンドパターン５２に接続される。このように、制御部１６と表示部１５とが接続される方法と、グラウンドパターン５２と第４および第５の電極４２，４７とが接続される方法とが同じである。これにより、ディスプレイモジュール１１の製造コストの増加を抑制できる。
【００５１】
なお、グラウンドパターン５２と第４および第５の電極４２，４７との接続方法は、熱圧着接続に限らない。例えば、半田付け、導電性接着剤、導電性両面テープ、または直接接触によって、グラウンドパターン５２と第４および第５の電極４２，４７とが接続されても良い。
【００５２】
次に、図４を参照して、第２の実施の形態について説明する。なお、以下に開示する少なくとも一つの実施形態において、第１の実施形態のテレビ１０と同一の機能を有する構成部分には同一の参照符号を付す。さらに、当該構成部分については、その説明を一部または全て省略することがある。
【００５３】
図４は、第２の実施の形態に係るディスプレイモジュール１１の一部を示す断面図である。図４に示すように、第１の実施の形態と異なり、接続部３２はグラウンドパターン５２によって接地されない。
【００５４】
前記構成のテレビ１０によれば、グラウンドパターン５２は、制御基板３１に接続される一方で、接続部３２には接続されない。これにより、グラウンドパターン５２と接続部３２とを接続するための加工コストを低減できる。
【００５５】
接続部３２はグラウンドパターン５２によって接地されないが、表示部１５と制御基板３１とがともにグラウンドパターン５２によって接地される。このため、ディスプレイモジュール１１からノイズが発生することを抑制できる。
【００５６】
次に、図５を参照して、第３の実施の形態について説明する。図５は、第３の実施の形態に係るディスプレイモジュール１１の一部を示す断面図である。図５に示すようにグラウンド部１７は、制御部１６の接続部３２を覆い、制御基板３１を覆わない。言い換えると、制御基板３１はグラウンドパターン５２によって接地されない。第３の実施の形態において、第５の電極４７が導電部の一例である。
【００５７】
前記構成のテレビ１０によれば、グラウンドパターン５２は、接続部３２に接続される一方で、制御基板３１には接続されない。これにより、グラウンドパターン５２と制御基板３１とを接続するための加工コストを低減できる。
【００５８】
制御基板３１はグラウンドパターン５２によって接地されないが、表示部１５と接続部３２とがともにグラウンド部１７に接地されるため、ディスプレイモジュール１１からノイズが発生することを抑制できる。
【００５９】
さらに、グラウンド部１７が制御基板３１を覆わない。このため、本実施形態のグラウンド部１７は、第１の実施形態のグラウンド部１７よりも短くなる。したがって、グラウンド部１７の材料費を低減できる。
【００６０】
以上述べた少なくとも一つのディスプレイモジュールおよび電子機器によれば、グラウンド部が表示部の回路と制御部の導電部とに接続され、表示部の回路と制御部とを接地させる。これにより、ノイズの発生を抑制できる。
【００６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００６２】
例えば、上記実施形態において、制御部１６はリジッドプリント配線板である制御基板３１と、フレキシブルプリント配線板である接続部３２とを有する。制御部はこれに限らず、例えば一つのフレキシブルプリント配線板によって形成されても良い。さらに、表示部１５が、タッチパネルであっても良い。
【符号の説明】
【００６３】
１０…テレビジョン受像装置、１１…ディスプレイモジュール、１２…筐体、１５…表示部、１５ａ…第１の面、１５ｂ…第２の面、１６…制御部、１７…グラウンド部、３１…制御基板、３２…接続部、３４…第１の実装面、３７…電子部品、４２…第４の電極、４７…第５の電極、５５…開放部。
【図１】
2013238831.tif 000003
【図２】
2013238831.tif 000004
【図３】
2013238831.tif 000005
【図４】
2013238831.tif 000006
【図５】
2013238831.tif 000007